(57)【要約】【課題】同じノートパソコンに無線ＬＡＮ、ブルートゥースのような異なる規格で同一帯域を使用する場合であっても互いに干渉することなく最適なアンテナ切り替えを行う無線制御装置を提供することを目的とする。【解決手段】通信制御部２１は無線ＬＡＮ、ブルートゥースの送信または受信とが同時に実行される場合には、無線ＬＡＮ、ブルートゥースの送信モード、受信モードに基づいて、ブルートゥースアンテナ１４に対して、距離的に遠い無線ＬＡＮ通信アンテナ１３−２に切り替えることで、同じノートパソコンに無線ＬＡＮ、ブルートゥースのような異なる規格で同一帯域を使用するような場合であっても互いに電波の干渉を少なくし、スループットを極力低下させることなく効率的なデータ通信が行うことができる最適なアンテナ切り替えを行うことができる。【選択図】図２
2008061057.tif 000002
【特許請求の範囲】
【請求項１】
複数の無線通信規格により他の無線機器との無線通信手段を有する情報機器の無線制御装置であって、
第１の無線規格で他の無線機器との間で無線送受信を行う第１の無線モジュールと、
前記第１の無線規格に対応した少なくとも２以上の通信アンテナと、
第２の無線規格で他の無線機器との間で無線送受信を行う第２の無線モジュールと、
前記第２の無線規格に対応した少なくとも１以上の通信アンテナと、
前記第１の無線規格よる送信、受信と動作停止、前記第２の無線規格による送信、受信と動作停止を制御する通信制御部と、
を備え
前記第１の無線規格による送信または受信と、前記第２の無線規格による送信または受信とが同時に実行される場合には、
前記第１の無線規格による送信モード、受信モードと、前記第２の無線規格による送信モード、受信モードに基づいて、前記第１の無線規格に対応した２以上の通信アンテナをうち、前記第２の無線規格に対応した通信アンテナに対して、アイソレーションの大きい位置に配置した前記第１の無線規格に対応した通信アンテナに切り替えることを特徴とする無線制御装置。
【請求項２】
前記第１の無線規格による受信と、前記第２の無線規格による受信とが同時に実行される場合には、
前記第１の無線規格に対応した２以上の通信アンテナは通常のダイバーシティ制御に従って切り替えることを特徴とする請求項１に記載の無線制御装置。
【請求項３】
前記第１の無線規格は無線ＬＡＮ、前記第２の無線規格はブルートゥースであることを特徴とする請求項１および請求項２に記載の無線制御装置。
【発明の詳細な説明】
【技術分野】
【０００１】
本発明は複数の無線通信規格の無線通信手段を有するノートパソコンのような携帯型情報処理装置（以下、総称してノートパソコン）の無線通信アンテナの切り替え制御する無線制御装置に関するものである。
【背景技術】
【０００２】
近年、ノートパソコンのその携帯性ゆえ、インターネットなどネットワークに接続する場合には無線ＬＡＮによるネットワーク通信が一般的になってきている。また、ノートパソコンと外部機器との接続にはＵＳＢ、ＩＥＥＥ１３９４のような有線ケーブルを使用したものよりは無線ＬＡＮ、ブルートゥース（Ｂｌｕｅｔｏｏｔｈ）のような無線通信によるデータ通信接続をする機会が益々増加している。
【０００３】
以下に従来のノートパソコンの無線通信アンテナについて説明する。
【０００４】
図３は従来のノートパソコンと無線通信アンテナを示すものである。
【０００５】
図３（ａ）において、１１はノートパソコン本体、１２はノートパソコンの表示部であり液晶パネル等で構成されている。１３〜１４は無線通信用のアンテナであり、１３―１、１３―２は無線ＬＡＮのダイバーシティアンテナ、１４は近距離無線通信技術として規格化されたブルートゥースのアンテナである。無線ＬＡＮのダイバーシティアンテナ１３−１，１３−２は表示部１２の上方左右両端、ブルートゥースのアンテナはノートパソコン本体１１の図では右上端のそれぞれ筐体内部に配置されている。これらのアンテナの配置は高周波電波によるノートパソコン操作者の人体への影響を考慮して、できる限り操作者から離した位置に配置するように配慮がなされている。
【０００６】
無線ＬＡＮ用のアンテナ、ブルートゥースのアンテナは図３（ｂ）のように絶縁体に銅箔を印刷したプリント配線板３１と、高周波信号の送信部または受信部（いずれも図示せず）に信号の受け渡しするケーブル３２とによる簡単な構成であり、図３（ａ）ではパソコンの筐体を一部除いて表示しているが、実際は筐体内部に実装されているので一般には外から確認できない。なお、ダイバーシティアンテナは複数のアンテナを接続して、受信状況の良いアンテナを随時切り替えながら受信する仕組みであり、図３では２つのアンテナを使用するが、実際に受信しているのは１つだけである。
【特許文献１】特開平９−１８６６３６号公報
【発明の開示】
【発明が解決しようとする課題】
【０００７】
無線ＬＡＮもブルートゥースも使用者が免許なしで自由に使うことのできる２．４ＧＨｚ帯の電波を利用しており、無線ＬＡＮの場合、ブルートゥース対応製品などが近くにあると電波干渉で通信速度が落ちることがある。しかし、上記のように無線ＬＡＮのダイバーシティアンテナは２つのアンテナを接続して、受信状況の良いアンテナを切り替えながら受信する仕組みであるので、図３のような無線ＡＮ、ブルートゥースが共存して構成するノートパソコンでは最適なダイバーシティ制御、つまり複数あるアンテナの適切な切り替え制御ができているとは言い難い。
【０００８】
本発明は上記従来の問題点を解決するもので、同じノートパソコンに無線ＬＡＮ、ブルートゥースのような異なる規格で同一帯域を使用する場合であっても互いに干渉することなく最適なアンテナ切り替えを行う無線制御装置を提供することを目的とする。
【課題を解決するための手段】
【０００９】
本発明の請求項１に記載の発明は、
複数の無線通信規格により他の無線機器との無線通信手段を有する情報機器の無線制御装置であって、
第１の無線規格で他の無線機器との間で無線送受信を行う第１の無線モジュールと、
前記第１の無線規格に対応した少なくとも２以上の通信アンテナと、
第２の無線規格で他の無線機器との間で無線送受信を行う第２の無線モジュールと、
前記第２の無線規格に対応した少なくとも１以上の通信アンテナと、
前記第１の無線規格よる送信、受信と動作停止、前記第２の無線規格による送信、受信と動作停止を制御する通信制御部と、
を備え
前記第１の無線規格による送信または受信と、前記第２の無線規格による送信または受信とが同時に実行される場合には、
前記第１の無線規格による送信モード、受信モードと、前記第２の無線規格による送信モード、受信モードに基づいて、前記第１の無線規格に対応した２以上の通信アンテナをうち、前記第２の無線規格に対応した通信アンテナに対して、アイソレーションの大きい位置に配置した前記第１の無線規格に対応した通信アンテナに切り替えることを特徴とする無線制御装置としたものであり、同じノートパソコンに無線ＬＡＮ、ブルートゥースのような異なる規格で同一帯域を使用するような場合であっても互いに電波の干渉を少なくし、スループットを極力低下させることなく効率的なデータ通信が行うことができる最適なアンテナ切り替えを行うことができるという作用を有する。
【発明の効果】
【００１０】
以上のように本発明は、同じノートパソコンに無線ＬＡＮ、ブルートゥースのような異なる規格で同一帯域を使用するような場合であっても互いに電波の干渉を少なくし、スループットを極力低下させることなく効率的なデータ通信が行うことができる最適なアンテナ切り替えを行う無線制御装置を提供することができる。
【発明を実施するための最良の形態】
【００１１】
以下、本発明の実施の形態について、図１から図２を用いて説明する。
【００１２】
（実施の形態１）
図１は本発明のノートパソコンと無線通信アンテナの配置を模式的に示す図である
図１において、１１はノートパソコン本体、１２はノートパソコンの表示部であり液晶パネル等で構成されている。１３〜１４は無線通信用のアンテナであり、１３―１、１３―２は無線ＬＡＮのダイバーシティアンテナ、１４はブルートゥースのアンテナである。無線ＬＡＮのダイバーシティアンテナ１３−１，１３−２は表示部１２の上方左右両端、ブルートゥースのアンテナはノートパソコン本体１１の図では右上端のそれぞれ筐体内部に配置されている。
【００１３】
図２は本発明の無線通信アンテナの切り替え制御をする無線制御装置の構成図（ａ）とアンテナの切り替え制御を示した表（ｂ）である。
【００１４】
図２において１５は本発明の無線制御装置、１６は無線ＬＡＮアンテナ１３−１，１３−２から高周波信号の送受信を行う無線ＬＡＮモジュール、１７は無線ＬＡＮモジュール１６に変調前の送信データ、復調後の受信データの受け渡し、または無線ＬＡＮモジュール１６の動作、停止を制御する制御信号を出力する無線ＬＡＮ制御部、１８はブルートゥースのアンテナ１４から高周波信号の送受信を行うブルートゥースモジュール、１９はブルートゥースモジュール１８に変調前の送信データ、復調後の受信データの受け渡し、またはブルートゥースモジュール１８の動作、停止を制御する制御信号を出力するブルートゥース制御部、２０は無線ＬＡＮモジュール１６、ブルートゥースモジュール１８の各モジュールの送信モード、受信モード、停止モードの各モードに基づいて互いに干渉することを回避するように無線ＬＡＮアンテナ１３−１，１３−２を切り替える干渉回避制御部である。無線ＬＡＮ制御部１７，ブルートゥース制御部１９、干渉回避制御部２０はマイコン、ソフトウエアで一体に構成できる通信制御部２１から成る。
【００１５】
以上のように構成された無線制御装置について、図１、図２を用いてその動作を説明する。
【００１６】
まず、無線ＬＡＮ、ブルートゥースがそれぞれ単独で送信、受信状態にある場合は動作していない方のモジュールは停止する。また、無線ＬＡＮによる通信状態にある場合、通信状態のよい方のアンテナ１３−１，１３−２のいずれか良い方をダイバーシティ制御部１６１が選んで動作させる。
【００１７】
無線ＬＡＮ、ブルートゥース両方が送信、受信状態いずれかの通信状態にある場合は送受信電波の干渉により無線ＬＡＮ側の単位時間あたりの通信速度（スループット）が低下する。図１，図３では、ブルートゥースアンテナ１４に対して無線ＬＡＮアンテナ１３−１は無線ＬＡＮアンテナ１３−２より近い位置にあるので電波の干渉、スループットの低下度合いは大きい。従って干渉回避制御部２０では無線ＬＡＮ、ブルートゥース両方の送信、受信状態を検知して図２（ｂ）のような制御を行う。つまり無線ＬＡＮ、ブルートゥース両方が受信状態である場合を除き、無線ＬＡＮアンテナ１３−２側を動作させることでブルートゥース通信電波との干渉を回避するように無線ＬＡＮアンテナの切り替え制御をする。
【００１８】
無線ＬＡＮ、ブルートゥース両方が受信状態である場合は上述のように受信データの復調状態を検出して、通信状態のよい方のアンテナ１３−１，１３−２のいずれか良い方をダイバーシティ制御部１６１が選んで動作させる。
【００１９】
以上のように本実施の形態によれば、同じノートパソコンに無線ＬＡＮ、ブルートゥースのような異なる規格で同一帯域を使用するような場合であっても互いに電波の干渉を少なくし、スループットを極力低下させることなく効率的なデータ通信が行うことができる最適なアンテナ切り替えを行う無線制御装置を提供することができる。
【００２０】
なお、以上の説明では同一帯域周波数を使用する無線ＬＡＮ、ブルートゥースを例にとって説明したが、周波数帯域が異なっても高調波による干渉、妨害もあり得るのであり、無線ＬＡＮ、ブルートゥースに限らず他の無線規格にも適応できることは言うまでもない。複数の無線規格を有するノートパソコン、複数のアンテナの配置とそれらの干渉を考慮すればあらゆる場面での通信制御に適応できるものである。
【産業上の利用可能性】
【００２１】
本発明にかかる無線制御装置は、同じノートパソコンに無線ＬＡＮ、ブルートゥースのような異なる規格で同一帯域を使用するような場合であっても互いに電波の干渉を少なくし、スループットを極力低下させることなく効率的なデータ通信が行うことができる最適なアンテナ切り替えを行うという効果を有し、複数の無線通信規格の無線通信手段を有するノートパソコンの無線通信アンテナの切り替え制御する無線制御装置等として有用である。
【図面の簡単な説明】
【００２２】
【図１】本発明のノートパソコンと無線通信アンテナの配置を模式的に示す図
【図２】（ａ）本発明の無線通信アンテナの切り替え制御をする無線制御装置の構成図、（ｂ）アンテナの切り替え制御を示した表図
【図３】従来のノートパソコンと無線通信アンテナを示す図
【符号の説明】
【００２３】
１１  ノートパソコン本体
１２  表示部
１３  無線ＬＡＮのダイバーシティアンテナ
１４  ブルートゥースのアンテナ
１５  無線制御装置
１６  無線ＬＡＮモジュール
１７  無線ＬＡＮ制御部
１８  ブルートゥースモジュール
１９  ブルートゥース制御部
２０  干渉回避制御部
２１  通信制御部
３１  アンテナ基板
３２  アンテナケーブル
【図１】
2008061057.tif 000003
【図２】
2008061057.tif 000004
【図３】
2008061057.tif 000005